(57)【要約】  凹凸が存在している部分であっても、信頼性を低下させることなく真空断熱材の配置を可能として断熱性を高めるとともに、部品収納室が設置される部分の断熱性も向上させて、しかもその断熱性能を安定化させて、省エネルギ性が高く庫内容積も大きくできる冷蔵庫を提供する。  部品収納室(111)に収納された発熱部品(17,15)と、部品収納室と貯蔵室(6)との間に設けられた真空断熱材(55)とを備え、部品収納室は、壁面に発熱部品が取り付けられるための凹凸部(18)を有し、凹凸部が設けられた壁面の裏側の壁面にスペーサ部材(21)が配設され、スペーサ部材は凹凸部に沿った凹凸形状を有する面を備えるとともに、前記凹凸形状に沿った面とは反対側の面が実質的に平面形状を有し、真空断熱材は前記平面形状を有する面に設置されている。内箱(3)または外箱(2)の真空断熱材と対向する部分に、空気抜き孔(26)が設けられている。
2017002345.tif 000002
【特許請求の範囲】
【請求項１】
内箱および外箱を有する本体と、前記内箱および前記外箱の間に配設される発泡断熱材と、前記本体に設けられた貯蔵室および部品収納室と、前記部品収納室に収納された発熱部品と、前記部品収納室と前記貯蔵室との間に設けられた真空断熱材とを備え、前記部品収納室は、壁面に前記発熱部品が取り付けられるための凹凸部を有し、前記凹凸部が設けられた前記壁面の裏側の壁面には、スペーサ部材が配設され、前記スペーサ部材は、前記凹凸部の凹凸形状に沿った形状を有する面を備えるとともに、前記凹凸部の前記凹凸形状に沿った形状を有する面とは反対側の面が実質的に平面形状を有し、前記真空断熱材は、前記実質的に平面形状を有する面に設置され、前記内箱または前記外箱の前記真空断熱材と対向する部分に、空気抜き孔が設けられた冷蔵庫。
【請求項２】
前記空気抜き孔は、前記本体の前記内箱または前記外箱の前記真空断熱材と対向する前記部分の実質的に中心部分に位置するよう設けられた請求項１記載の冷蔵庫。
【請求項３】
前記空気抜き孔は、環状に配列形成され、前記環状に配列形成された前記空気抜き孔で囲まれた部分には、補助断熱材が配置された請求項１または２記載の冷蔵庫。
【請求項４】
前記部品収納室は、前記本体の上部後方に設けられた請求項１〜３のいずれか１項記載の冷蔵庫。
【請求項５】
前記部品収納室は、前記貯蔵室と、縦方向の面および横方向の面の少なくとも二面で対向するように配設され、前記真空断熱材は、前記部品収納室の前記少なくとも二面に沿うように実質的にＬ字状に折り曲げられて形成され、前記スペーサ部材に貼り付けられ固定された請求項４記載の冷蔵庫。
【請求項６】
前記スペーサ部材は、前記実質的に平面形状を有する面の外周部に凸部が設けられ、前記凸部によって前記真空断熱材が位置規制されるよう構成された請求項１〜５のいずれか１項記載の冷蔵庫。
【請求項７】
前記凸部は、前記スペーサ部材の前記外周部に形成されるとともに、前記スペーサ部材に設置されたときの前記真空断熱材の外側の表面と、前記凸部の表面とが、実質的に同一表面を形成するよう、前記凸部の高さが設定された請求項６記載の冷蔵庫。
【請求項８】
前記スペーサ部材は、発泡スチロールで形成された請求項１〜７のいずれか１項記載の冷蔵庫。
【請求項９】
前記真空断熱材は、前記部品収納室に設置された前記発熱部品の、前記部品収納室と隣接する前記貯蔵室の壁面への投影面積より大きい面積を有するよう構成された請求項１〜８のいずれか１項記載の冷蔵庫。
【請求項１０】
前記真空断熱材は、前記投影面積と同じ面積を有する部分より、前記投影面積と同じ面積を有する部分以外の部分の方が大きい面積を有するよう構成された請求項９記載の冷蔵庫。
【請求項１１】
前記部品収納室は、前記発熱部品を冷却する冷却ファンを備え、前記真空断熱材は、少なくとも前記発熱部品を冷却した後の空気が流れる部分を覆う大きさを有するよう構成された請求項１〜１０のいずれか1項記載の冷蔵庫。
【請求項１２】
前記真空断熱材は、前記部品収納室の横幅と実質的に同じ大きさの幅を有する請求項１〜１１のいずれか１項記載の冷蔵庫。
【請求項１３】
前記凹凸部は、前記発熱部品が取り付けられる部品取付部を有する請求項１〜１２のいずれか１項記載の冷蔵庫。
【請求項１４】
前記部品収納室は、部品収納室ケースをさらに有し、前記部品収納室ケースに前記凹凸部が設けられるとともに、前記部品収納室は、前記外箱の上部に設けられた切欠き部に前記部品収納室ケースが装着されることにより前記本体に配置され、前記スペーサ部材および前記真空断熱材は、前記部品収納室ケースに装着されて前記部品収納室ケースと一体化されユニット化された請求項１〜１３のいずれか１項記載の冷蔵庫。
【発明の詳細な説明】
【技術分野】
【０００１】  本発明は、冷蔵庫に関し、特に本体の断熱構成に関する。
【背景技術】
【０００２】  一般に冷蔵庫の本体は、内箱と外箱との間に発泡断熱材が充填されて構成されている。さらに最近では、内箱と外箱との間に真空断熱材が配置されて、断熱性を高めている。また、本体の適所、例えば上部後方には、部品収納室が設けられ、部品収納室に本体内の冷蔵室等を冷却する冷凍サイクルの圧縮機および凝縮器等が組み込まれて構成されている（例えば、特許文献１参照）。【０００３】  図２０Ａおよび図２０Ｂは、特許文献１に記載されている冷蔵庫の断面構成を示す。図２０Ａおよび図２０Ｂに示す冷蔵庫５５５は、本体５００内に冷蔵室５０１、冷凍室５０２および野菜室５０３等を有するとともに、本体５００の上部後方に部品収納室５０４が設けられている。部品収納室５０４には、冷蔵室５０１、冷凍室５０２および野菜室５０３等を冷却する冷凍サイクルを構成する圧縮機５０５および凝縮器等が配置されている。【０００４】  本体５００は、内箱５０６と外箱５０７との間に真空断熱材５０８が配置されているとともに、発泡ウレタン等からなる発泡断熱材５０９が充填されて構成されており、断熱性が発揮される。【０００５】  しかしながら、上記のような従来の冷蔵庫は、圧縮機および凝縮器が設置される部品収納室の壁面に、これらの部品を取り付けるため凹凸が形成されており、この凹凸が形成されている部分に真空断熱材を設置し難いという問題がある。【０００６】  すなわち、真空断熱材が配置される部分に凹凸が存在していると、この凹凸が真空断熱材に接して真空断熱材の外被袋を破袋してしまう虞があり、真空断熱材を設置しても真空断熱材本来の断熱性が得られず、信頼性に欠けるという問題がある。【０００７】  このため、凹凸のある部分は、発泡断熱材のみによる断熱構成となっており、外部からの熱が侵入しやすく、熱侵入を効率よく抑制して省エネルギ性を向上させる際の障害の一つとなっている。【０００８】  また、凹凸が存在する部品収納室からの熱侵入を少なくすべく、凹凸のある部分は、内箱と外箱との間に充填された発泡断熱材の厚み、すなわち部品収納室の壁厚を、他の部分の壁厚よりも厚くする等の構造を有するよう構成されているため、その分本体内の庫内容積を減じる等の問題が生じる。【０００９】  上述したような問題は、部品収納室に限らず例えば制御ユニット等の各種部品の設置部であっても、これらの部品を設置するための凹凸が存在する部分であれば生じる可能性がある。特に、凹凸を必要とする部品が、熱を発生するものであって、しかもその発生熱量が比較的大きなものである圧縮機および凝縮器などの場合、このような部品が設置される部品収納室においては、上記のような問題の影響は大きく、省エネルギ性向上および庫内容積確保に対して大きな障害となっている。【００１０】  また、上記のように構成された冷蔵庫５５５は、本体５００の側面、背面および天面のいずれにも真空断熱材５０８が配置されているが、圧縮機５０５および凝縮器が設置されている部品収納室５０４と、冷蔵室５０１との間は、発泡断熱材５０９のみによる断熱構成となっている。【００１１】  これは、部品収納室５０４自体が狭く、部品収納室５０４と冷蔵室５０１との間の面積が小さいため、真空断熱材５０８を設けるよ���、凹凸部が形成されている部分の発泡断熱材５０９の厚みを他の部分より厚くした断熱構造とする方がコストパフォーマンス的に好ましいからである。【００１２】  しかしながら、昨今、冷蔵庫に対する省エネルギ性向上の要求は一層厳しくなり、圧縮機による冷却運転の効率化等による省エネルギ化推進はもちろん、本体５００自体の断熱性もさらに向上させて省エネルギを推進する必要性に迫られている。
【先行技術文献】
【特許文献】
【００１３】
【特許文献１】特開２０１３−５０２６７号公報
【発明の概要】
【００１４】  本発明は、上記のような点に鑑みてなされたものであり、凹凸が存在している部分であっても、信頼性を低下させることなく真空断熱材の配置を可能として断熱性を高めるとともに、部品収納室が設置される部分の断熱性も向上させて、しかもその断熱性能を安定化させて、省エネルギ性が高く庫内容積も大きくできる冷蔵庫を提供する。
【００１５】  具体的には、本発明の実施の形態の一例による冷蔵庫は、内箱および外箱を有する本体と、内箱および外箱の間に配設された発泡断熱材と、本体に設けられた貯蔵室および部品収納室と、部品収納室に収納された発熱部品と、部品収納室と貯蔵室との間に設けられた真空断熱材とを備える。部品収納室は、壁面に発熱部品が取り付けられるための凹凸部を有し、凹凸部が設けられた壁面の裏の壁面には、スペーサ部材が設けられている。スペーサ部材は、凹凸部の凹凸形状に沿った形状を有する面を備えるとともに、凹凸部の凹凸形状に沿った形状を有する面とは反対側の面が実質的に平面形状を有する。真空断熱材は、スペーサ部材の実質的に平面形状を有する面に設置されている。また、内箱または外箱の真空断熱材と対向する部分には、空気抜き孔が設けられている。
【００１６】  このような構成により、本体を構成する内箱或いは外箱の壁面に存在する凹凸部によって真空断熱材の外被袋が破袋されるようなことを防止できる。また、凹凸部が存在する部分であっても信頼性を損なうことなく真空断熱材が設置されることができ、断熱性を向上させることができる。さらに、凹凸部が形成されている内箱或いは外箱の壁厚も、従来に比べ薄くすることができる。加えて、本体の内箱または外箱の真空断熱材と対向する部分に空気抜き孔が設けられているため、真空断熱材およびスペーサ部材が新設されることにより発泡断熱材が充填される空間が狭くなっても、発泡断熱材が発泡充填されるとき、発泡断熱材充填空間内の空気は、空気抜き孔に向かってスムーズに流れ、発泡断熱材が発泡しながら円滑に空間内を進行することができる。これにより、凹凸部にボイドが生じることを防止でき、発泡断熱材自体の断熱性能のばらつきを抑制して、凹凸部を有する部品収納室の壁の断熱性能を安定化させることができる。
【００１７】  また、本発明の実施の形態の一例による冷蔵庫は、本体の部品収納室と貯蔵室との間に、真空断熱材が配置され、真空断熱材は、部品収納室に設置された発熱部品の貯蔵室の壁面への投影面より大きい面積を有するよう構成されていてもよい。
【００１８】  このような構成により、本体の部品収納室に設置された圧縮機等の発熱部品からの輻射熱を真空断熱材によってより確実に断熱でき、本体全体としての断熱性を高めて省エネルギ性を向上させることができる。しかも、部品収納室と貯蔵室との間に、真空断熱材が設けられることによって、部品収納室と貯蔵室との間の壁厚を従来よりも薄くすることができ、本体内の内容積を拡充することができる。
【００１９】  また、本発明の実施の形態の一例による冷蔵庫は、空気抜き孔が、本体の内箱または外箱の真空断熱材と対向する部分の実質的に中心部分に位置するよう配設されていてもよい。
【００２０】  このような構成により、発泡断熱材の発泡充填時に、真空断熱材と対向する狭い発泡断熱材充填空間の全域にわたって真空断熱材の外周部分から中心部分に向かって空気が抜けて発泡断熱材の発泡が進行していくので、発泡断熱材充填空間全域にわたってボイド発生を抑えることができ、断熱性能の安定化が促進され、省エネルギ性を向上することができる。
【００２１】  また、本発明の実施の形態の一例による冷蔵庫は、空気抜き孔が、環状に配列形成され、環状に配列形成された空気抜き孔で囲まれた部分には、補助断熱材が配置されていてもよい。
【００２２】  このような構成により、空気抜き孔の中央部付近でボイドが発生するようなことがあっても、このボイドが発生した部分は補助断熱材によって断熱されるので、ボイドによる断熱性能の低下の影響を排除することができ、断熱性能の確固たる安定化を実現してより確実に省エネルギ性を向上させることができる。
【００２３】  また、本発明の実施の形態の一例による冷蔵庫は、部品収納室が、本体の上部後方に設けられていてもよい。
【００２４】  このような構成により、部品収納室内に比較的温度が高くなる圧縮機或いは凝縮器等が設置されていても、部品収納室からの熱を信頼性を低下させることなく効率よく断熱し、かつ、壁厚を薄型化することができる。これにより、冷蔵庫の省エネルギ性および庫内容積拡充効果を高いものとすることができる。
【００２５】  また、本発明の実施の形態の一例による冷蔵庫は、部品収納室が、隣接する貯蔵室と、縦方向の壁面および横方向の壁面の少なくとも二面で対向するように配設され、真空断熱材は、この少なくとも二面に沿うように実質的にＬ字状に折り曲げられて形成され、スペーサ部材に貼り付けられ固定されていてもよい。
【００２６】  このような構成により、部品収納室の縦方向の壁（縦壁）および横方向の壁（横壁）の少なくとも二面で断熱性を向上させることができるとともに、部品収納室の縦壁および横壁それぞれに個別の真空断熱材を設置する場合に比べ、生産性を向上させることができる。したがって、生産コストをさらに抑制することができる。しかも、Ｌ字状に折り曲げられた真空断熱材は、テープ等によってスペーサ部材に貼り付けられ固定されているため、スプリングバックによって発泡断熱材充填空間を狭めるようなことがなく、発泡断熱材の流動性を安定させてボイド発生抑制効果を上げることができ、断熱性能をより確実に安定化させることができる。
【００２７】  また、本発明の実施の形態の一例による冷蔵庫は、スペーサ部材の実質的に平面形状を有する面の外周部に、凸部が設けられ、凸部によって真空断熱材が位置規制されるよう構成されていてもよい。
【００２８】  このような構成により、スペーサ部材に設置される真空断熱材が、発泡断熱材の流動および発泡によってずれ動くことを確実に防止できる。また、このような構成により、内箱または外箱の真空断熱材と対向する位置に設けられた空気抜き孔が、真空断熱材で狭められた発泡断熱材充填空間の実質的に中央部に確実に位置させることができるため、ボイド発生を効率よく抑制することができる。これにより、断熱性能をさらに確実に安定化させることができる。しかも、真空断熱材のずれ動きによって生じる損傷破袋も確実に防止でき、断熱性能の安定化がさらに促進され信頼性を向上させることができる。
【００２９】  また、本発明の実施の形態の一例による冷蔵庫は、凸部が、スペーサ部材の外周部に形成されるとともに、凸部の表面と、スペーサ部材に設置されたときの真空断熱材の外側の表面とが、実質的に同一表面を形成するよう凸部の高さが設定されていてもよい。
【００３０】  このような構成により、真空断熱材の表面を流動する発泡断熱材はスムーズに流れ、真空断熱材とスペーサ部材との間に段差等がある場合等に生じやすい流動性の低下により発生しがちなボイドをも抑制できる。したがって、設計通りの高い断熱性能を安定的に確保でき、断熱性能をさらに安定化させることができる。
【００３１】  また、本発明の実施の形態の一例による冷蔵庫は、スペーサ部材が、発泡スチロールで形成されていてもよい。
【００３２】  このような構成により、スペーサ部材は、本体の内箱または外箱に形成された凹凸部の形状が複雑なものであっても、成型によって凹凸部の形状に沿う形に容易に製造されることができる。また、スペーサ部材自体も断熱性を持つことになるため、真空断熱材および発泡断熱材の断熱効果と合わさってより高い断熱性を安定的に発揮させることができる。これにより、コストダウンを図りつつ省エネルギ性および庫内容積拡充効果をさらに高いレベルで実現することができる。
【００３３】  また、本発明の実施の形態の一例による冷蔵庫は、真空断熱材が、部品収納室に設置された発熱部品の、部品収納室と隣接する貯蔵室の壁面への投影面積より大きい面積を有するよう構成されていてもよい。
【００３４】  このような構成により、本体の部品収納室に設置された圧縮機等の発熱部品からの輻射熱を真空断熱材によってより確実に断熱でき、本体全体としての断熱性を高めて省エネルギ性を向上させることができる。しかも、真空断熱材が部品収納室と貯蔵室との間に設けられたことによって、部品収納室と貯蔵室との間の壁厚を従来よりも薄くすることができ、本体内の内容積を拡充することができる。
【００３５】  また、本発明の実施の形態の一例による冷蔵庫は、真空断熱材が、発熱部品の、部品収納室と隣接する貯蔵室の壁面への投影面積と実質的に同じ面積を有する部分より、発熱部品の部品収納室と隣接する貯蔵室の壁面への投影面積と実質的に同じ面積を有する部分以外の部分の方が大きい面積を有するよう構成されていてもよい。
【００３６】  このような構成により、発熱部品からの輻射熱を受けて温度が高くなる真空断熱材の、発熱部品投影面積と同じ面積を有する部分の熱が、真空断熱材の発熱部品投影面積と同じ面積を有する部分以外の部分に伝導拡散するため、真空断熱材を低温化することができ、真空断熱材の断熱効果を高め、省エネルギ性をさらに向上させることができる。
【００３７】  また、本発明の実施の形態の一例による冷蔵庫は、部品収納室が、発熱部品を冷却する冷却ファンを備え、真空断熱材が、少なくとも発熱部品を冷却した後の空気が流れる部分を覆う大きさを有するよう構成されていてもよい。
【００３８】  このような構成により、真空断熱材は、発熱部品からの輻射熱のみならず、部品収納室内に存在する比較的温度の高い空気、すなわち、発熱部品を冷却した後の比較的温度の高い空気の熱も断熱することができ、省エネルギ性をさらに高めることができる。
【００３９】  また、本発明の実施の形態の一例による冷蔵庫は、真空断熱材は、部品収納室の横幅と実質的に同じ大きさの幅を有するよう構成されていてもよい。
【００４０】  このような構成により、圧縮機等を含む部品収納室内の発熱部品からの輻射熱を断熱することができるとともに、部品収納室の横幅ほぼ一杯に設けられた真空断熱材が、断熱性能をさらに高め、部品収納室の強度、ひいては本体の強度を向上させることができる。また、発泡断熱材充填前の本体搬送時等に本体が変形することを防止することもでき、品質向上を図ることもできる。
【００４１】  また、本発明の実施の形態の一例による冷蔵庫は、凹凸部は、発熱部品が取り付けられる部品取付部を有していてもよい。
【００４２】  このような構成により、部品収納室と貯蔵室との間に配置された真空断熱材が、部品収納室の壁面に存在する凹凸部によって破袋されるようなことがなくなり、凹凸部が存する部分であっても信頼性を損なうことなく真空断熱材が設置されることができるため、断熱性を向上させることができる。しかも、本体の壁厚を従来に比べ薄くすることができ、本体の内容積を拡充することもできる。
【００４３】  また、本発明の実施の形態の一例による冷蔵庫は、部品収納室が、部品収納室ケースをさらに有し、部品収納室ケースに凹凸部が設けられるとともに、部品収納室は、外箱の上部に設けられた切欠き部に部品収納室ケースが装着されることにより本体に配置されていてもよい。また、本発明の実施の形態の一例による冷蔵庫は、スペーサ部材および真空断熱材が、部品収納室ケースに装着されて部品収納室ケースと一体化されユニット化されていてもよい。
【００４４】  このような構成により、外箱に部品収納室ケースを取り付けるだけでスペーサ部材および真空断熱材も設置することができる。すなわち、部品収納室ケースを単独で外箱に取付けたのち、部品収納室ケースにスペーサ部材と真空断熱材とを個別に装着させるような場合に比べ、迅速かつ容易に、スペーサ部材および真空断熱材が設置されることができ、生産性を向上させ、生産コストを下げることができる。
【図面の簡単な説明】
【００４５】
【図１】図１は、本発明の実施の形態の冷蔵庫の斜視図である。
【図２】図２は、本発明の実施の形態の冷蔵庫の断面図である。
【図３】図３は、本発明の実施の形態の冷蔵庫の背面斜視図である。
【図４】図４は、本発明の実施の形態の冷蔵庫の部品収納室が設けられている部分を示す分解斜視図である。
【図５】図５は、本発明の実施の形態の冷蔵庫の内箱および部品収納室ケースを示す背面分解斜視図である。
【図６】図６は、本発明の実施の形態の冷蔵庫の部品収納室が設けられている部分を背面から見た正面図である。
【図７】図７は、本発明の実施の形態の冷蔵庫の部品収納室が設けられている部分を示す拡大斜視図である。
【図８】図８は、本発明の実施の形態の冷蔵庫の部品収納室が図７の１０−１０線で切断された部分の斜視図である。
【図９】図９は、本発明の実施の形態の冷蔵庫の部品収納室が図７の１１−１１線で切断された部分の斜視図である。
【図１０】図１０は、図７の１０−１０線断面図である。
【図１１】図１１は、図７の１１−１１線断面図である。
【図１２】図１２は、本発明の実施の形態の冷蔵庫の部品収納室ケースユニットを示す斜視図である。
【図１３】図１３は、本発明の実施の形態の冷蔵庫の部品収納室ケースユニットを示す分解斜視図である。
【図１４Ａ】図１４Ａは、本発明の実施の形態の冷蔵庫の部品収納室ケースユニットの分解斜視図である。
【図１４Ｂ】図１４Ｂは、本発明の実施の形態の部品収納室ケースユニットの図１４Ａとは反対側から見た分解斜視図である。
【図１５】図１５は、本発明の実施の形態の冷蔵庫のスペーサ部材と真空断熱材との断面図である。
【図１６】図１６は、本発明の実施の形態の冷蔵庫の部品収納室に設置された真空断熱材の位置関係を示す正面図である。
【図１７】図１７は、本発明の実施の形態の冷蔵庫の部品収納室部分における空気抜き構成を示す拡大断面図である。
【図１８】図１８は、本発明の実施の形態の冷蔵庫の部品収納室部分における発泡断熱材の充填材流れ（空気抜き流れ）を説明するための概略図である。
【図１９】図１９は、本発明の実施の形態の冷蔵庫の部品収納室部分における発泡断熱材の充填材流れ（空気抜き流れ）を冷蔵室内面側から示す拡大断面図である。
【図２０Ａ】図２０Ａは、従来の冷蔵庫の横断面図である。
【図２０Ｂ】図２０Ｂは、従来の冷蔵庫の正面断面図である。
【発明を実施するための形態】
【００４６】  以下、本発明の実施の形態について、図面を参照しながら説明する。なお、この実施の形態によって本発明が限定されるものではない。
【００４７】  （実施の形態）  図１は、本発明の実施の形態の冷蔵庫の斜視図、図２は、本発明の実施の形態の冷蔵庫の断面図、および、図３は、本発明の実施の形態の冷蔵庫の背面斜視図である。また、図４は、本発明の実施の形態の冷蔵庫の部品収納室が設けられている部分を示す分解斜視図であり、図５は、本発明の実施の形態の冷蔵庫の内箱および部品収納室ケースを示す背面分解斜視図である。
【００４８】  図１〜図５において、冷蔵庫２００の本体１は、図２に示すように主に鋼板が用いられた外箱２と、ＡＢＳなどの硬質樹脂で成型された内箱３とを有する。外箱２と内箱３との間には、硬質発泡ウレタン等の発泡断熱材４が充填されている。また、本体１の外箱２と内箱３との間、より具体的には、外箱２と内箱３との間の側面、背面および天面に、真空断熱材５が配置されている。
【００４９】  本体１の内部には、冷蔵室６、冷凍室７および野菜室８等の複数の貯蔵室が設けられており、複数の貯蔵室それぞれの開口部には、開閉自在な扉９が設けられている。また、本体１内には、冷蔵室６、冷凍室７および野菜室８等に冷気を供給するダクトが設けられている。冷蔵室６に冷気を供給するダクト部材６ａは、図２に示すように、内箱３の背部内面に沿わせて設けられ、その上部は止めビス６ｂ（図５参照）によって内箱３に固定されている。止めビス６ｂは、後述する部品収納室の縦壁と対向する部分に突出して内箱３側の凹凸部を構成している。
【００５０】  また、図４に示すように、本体１の壁には、凹凸部１８が形成されている。また、本体１を構成する外箱２の上部後方には、切欠き部２ａが設けられており、実質的にＬ字状の部品収納室ケース１１０が切欠き部２ａに嵌め込まれて装着され、部品収納室１１１が凹状に形成されている。なお、実質的にＬ字状とは、図４に示すように、外箱２の縦方向および水平方向に切り出された切欠き部２ａの縦壁面および底面に沿う形状を意味し、本体１の側方から見た断面がＬ字のような形状をいう。部品収納室ケース１１０は、外箱２の一部を構成するよう配設されていてもよい。部品収納室１１１の上部および背面部は、部品収納室カバー１１１ａによって覆われており、部品収納室カバー１１１ａには吸気孔１２および排気孔１３が設けられている。
【００５１】  図６は、本発明の実施の形態の冷蔵庫の部品収納室が設けられている部分を背面から見た正面図であり、図７は、本発明の実施の形態の冷蔵庫の部品収納室が設けられた部分を示す拡大斜視図である。また、図８は、本発明の実施の形態の冷蔵庫の部品収納室の図７の１０−１０線で切断された部分の斜視図であり、図９は、本発明の実施の形態の冷蔵庫の部品収納室の図７の１１−１１線で切断された斜視図である。図１０は、図７の１０−１０線断面図であり、図１１は、図７の１１−１１線断面図である。図１２は、本発明の実施の形態の冷蔵庫の部品収納室ケースユニットを示す斜視図であり、図１３は、本発明の実施の形態の冷蔵庫の部品収納室ケースユニットを示す分解斜視図である。また、図１４Ａは、本発明の実施の形態の冷蔵庫の部品収納室ケースユニットの分解斜視図であり、図１４Ｂは、本発明の実施の形態の部品収納室ケースユニットの図１４Ａとは反対側の面から見た分解斜視図である。図１５は、本発明の実施の形態の冷蔵庫のスペーサ部材および真空断熱材との断面図であり、図１６は、本発明の実施の形態の冷蔵庫の部品収納室に設置された真空断熱材の位置関係を示す正面図である。また、図１７は、本発明の実施の形態の冷蔵庫の部品収納室が設けられた部分における空気抜き構成を示す拡大断面図であり、図１８は、本発明の実施の形態の冷蔵庫の部品収納室が設けられた部分における発泡断熱材の充填の流れ（空気抜き流れ）を説明するための概略図である。図１９は、本発明の実施の形態の冷蔵庫の部品収納室が設けられた部分における発泡断熱材の充填の流れ（空気抜き流れ）を貯蔵室内面側から示す拡大断面図である。
【００５２】  部品収納室１１１には、冷凍サイクルを構成する部品である凝縮器１５、冷却ファン１６および圧縮機１７が風上（吸気孔１２）側から順に設置されており、冷却ファン１６を駆動することにより凝縮器１５および圧縮機１７を空冷している。
【００５３】  部品収納室１１１を構成する部品収納室ケース１１０は、図７および図８に示すように、少なくとも二つの壁面、例えば、部品収納室ケース１１０の縦壁および横壁の壁面に、複数の凹凸を有する凹凸部１８が形成されており、凹凸部１８を利用して凝縮器１５、冷却ファン１６および圧縮機１７等が取り付けられ固定されている。具体的には、例えば、図７に示すように、部品収納室１１１の底面に存在する凹凸部１８の一部が部品取付部１９として構成されており、圧縮機１７が部品取付部１９にゴムブッシュ２０を介してネジ止め固定されている。
【００５４】  部品収納室ケース１１０の少なくとも二つの壁（縦壁および横壁）とこれに対向する内箱３の縦壁および横壁との間は、図１０および図１１に示すように、スペーサ部材２１を介して真空断熱材５５が設置され、発泡断熱材４４が充填された断熱構造を有するよう構成されている。
【００５５】  スペーサ部材２１は、発泡スチロールを成型して構成されており、図１４Ａおよび図１４Ｂに示すように、スペーサ部材２１の部品収納室ケース１１０の凹凸部１８と接する側の面２２ａは、凹凸部１８の形状に沿う形状を有し、凹凸部１８が形成されている部品収納室ケース１１０の壁面の裏側の壁面に嵌合装着されている。
【００５６】  また、スペーサ部材２１は、部品収納室ケース１１０の凹凸部１８と接する側の面２２ａと反対側の面２２ｂが実質的に平面形状を有するよう構成されている。また、面２２ｂの外周部には、凸部２３が、スペーサ部材２１の外周に沿って、連続または非連続（すなわち、数箇所に分けて）に形成されており、凸部２３で囲まれた面２２ｂの平面部に真空断熱材５５が設置されている。このとき、凸部２３の高さ（スペーサ部材２１の、凸部２３で囲まれた平面部の表面を基準として外方に突出した部分の高さ）は、真空断熱材５５がスペーサ部材２１に設置されたとき、真空断熱材５５の外側表面と凸部２３の突出部の表面とが実質的に同一表面を形成するよう、設定されている。例えば、本実施の形態においては、凸部２３は、図１５に示すように、凸部２３の高さが、真空断熱材５５の平坦部の厚み（高さ）と実質的に同等の高さを有するように構成されている。これにより、真空断熱材５５の外側表面と凸部２３の突出部の表面とが実質的に同一表面を形成する。
【００５７】  スペーサ部材２１の面２２ｂに設置された真空断熱材５５は、図１２および図１３に示すように、一枚の真空断熱材が実質的にＬ字状に折り曲げられて形成され、スペーサ部材２１が部品収納室ケース１１０との間を挟み込むように部品収納室ケース１１０にテープ２４で貼付けられて一つのユニット部品となるよう、一体化されユニット化されている。
【００５８】  また、真空断熱材５５は、図６に示すように、その横幅が、部品収納室１１１の横幅と実質的に同じ大きさとなるように形成されている。また、真空断熱材５５は、その縦幅が、部品収納室１１１の縦幅と実質的に同じ大きさとなるように形成されていてもよい。真空断熱材５５は、部品収納室１１１に設置された圧縮機１７および凝縮器１５などの発熱部品の、部品収納室１１１と隣接する貯蔵室の壁面への投影面積より大きい面積を有するよう構成されている。
【００５９】  また、スペーサ部材２１は、図７、図１４Ａおよび図１４Ｂに示すように、部品収納室ケース１１０の凹凸部１８が形成されている壁面の裏側の壁面との間に、圧縮機１７の部品取付部１９につながる発泡断熱材通路２５が形成されている。本実施の形態では、図８および図１３の矢印Ｘで示すように、部品収納室ケース１１０の前端片とスペーサ部材２１の前端面との間から発泡断熱材通路２５に発泡断熱材４４が流れ込むように構成されている。発泡断熱材４４は、発泡断熱材通路２５を介して部品取付部１９まで流れ込み、図１０に示すように、部品取付部１９の裏面とスペーサ部材２１の面２２ａとの間で発泡固化して配設されている。
【００６０】  さらに、真空断熱材５５と対向する本体１の内箱３の真空断熱材５５と対向する部分には、図５に示すように、空気抜き孔２６が複数設けられている。空気抜き孔２６は、真空断熱材５５の内箱３の壁への投影面積の実質的に中央部に形成されており、図５に示すように、環状に、例えば本実施の形態においては、四角枠形状に、配列して形成されている。また、環状の空気抜き孔２６によって囲まれた部分には、発泡スチロール等からなる補助断熱材２７が配設されている。
【００６１】  また、内箱３のダクト部材６ａにより覆われる部位には、別の空気抜き孔２６ａが複数設けられている。
【００６２】  以上のように構成された本実施の形態の冷蔵庫２００について、以下その動作を説明する。
【００６３】  本実施の形態の冷蔵庫２００は、本体１の上部後方の部品収納室１１１に、発熱部品である圧縮機１７および凝縮器１５が設けられており、これらが熱を発してその熱が部品収納室１１１の縦壁および横壁を介して本体１内の貯蔵室、例えば冷蔵室６に侵入しようとする。
【００６４】  しかしながら、本実施の形態の冷蔵庫２００は、部品収納室１１１と冷蔵室６との間の縦横の壁に真空断熱材５５が設けられているため、発泡断熱材４４による断熱に加え、真空断熱材５５による断熱作用が働いて、圧縮機１７および凝縮器１５からの熱をより確実に断熱することができる。
【００６５】  このような構成により、部品収納室１１１からの熱侵入による冷蔵室６内の温度上昇を従来の発泡断熱材のみによる断熱に比べ大幅に低減することができ、その分、圧縮機１７の運転、すなわち冷却頻度を抑えることができ、省エネルギ性を向上させることができる。
【００６６】  また、部品収納室１１１と冷蔵室６との間に真空断熱材５５が設けられているため、部品収納室１１１の断熱性を飛躍的に向上させることができる。これにより、部品収納室１１１の縦壁および横壁と内箱３の縦壁および横壁との間の壁厚を薄くすることができる。したがって、壁厚が薄く形成されることができる分、本体１の外形を大きくすることなく冷蔵室６の内容積を大きくすることができる。
【００６７】  また、本実施の形態の冷蔵庫２００において、部品収納室１１１の凹凸部１８が形成されている壁面の裏面にスペーサ部材２１が配置されており、スペーサ部材２１は、凹凸部１８の凹凸形状に沿う形状を有する面２２ａとは反対側の面２２ｂが、実質的に平面形状を有するよう構成されている。また、スペーサ部材２１の実質的に平面形状を有する面２２ｂに、真空断熱材５５が配設されている。このような構成により、部品収納室１１１の壁面に存在する凹凸部１８によって真空断熱材５５の外被袋が破袋するようなことを防ぐことができる。
【００６８】  したがって、凹凸部１８が存する部分であっても真空断熱材５５が有する本来の高い断熱性を発揮させ続けることができ、断熱に対する信頼性を確保することができる。
【００６９】  しかも、本体１の内箱３の真空断熱材５５と対向する部分には空気抜き孔２６が設けられているため、真空断熱材５５およびスペーサ部材２１を新設したことによって発泡断熱材４４が流動しにくくなりボイドが発生すること等を抑制することができ、断熱性能を安定化させ信頼性を高めることができる。
【００７０】  発泡断熱材４４の充填は、通常、冷蔵庫２００が、本体１の開口部が下に、本体１の背面側が上に向くように設置された状態で、本体１の背面側に設けられた充填口２８から発泡断熱材４４の充填が行われ、置換された空気は、内箱３の背面に設けた空気抜き孔２６ａより排出される。
【００７１】  よって、本体１を構成する外箱２と内箱３との間に充填される発泡断熱材４４は、図１７および図１８に示すように、通常、内箱３の背面の両側方部に位置する外箱２の充填口２８から、内箱３開口縁側に液体として落下しながら流れた後、反転して発泡しながら内箱３と外箱２との間を通って内箱３背面中央側に向かって流動する。
【００７２】  その際、図１１等に示すように、部品収納室１１１と冷蔵室６との間に配設された部品収納室ケース１１０と内箱３との縦壁および横壁の間の空間２９（以下、発泡断熱材充填空間２９と称す）は、新たに敷設された真空断熱材５５の厚み寸法分だけ狭くなる。このため、この部分を流動する発泡断熱材４４の流れが悪くなってボイドが発生し、発泡断熱材４４自体の断熱性能がばらつく、すなわち安定した断熱性能を得づらく信頼性が低下する。
【００７３】  このような問題を解決するには、内箱３の壁面と、部品収納室ケース１１０の縦壁および横壁との間で形成される発泡断熱材充填空間２９の寸法を、真空断熱材５５およびスペーサ部材２１が新設される前と同じ寸法となるよう、本体１を構成することが考えられる。しかしながら、そのような構成とすると、折角真空断熱材５５が設けられたのにもかかわらず、真空断熱材５５およびスペーサ部材２１の厚さ寸法分だけ壁厚が厚くなってしまい、本体１の内容積を減じてしまう結果になる。
【００７４】  この点、本実施の形態で例示した構成によれば、真空断熱材５５と対向する部分に空気抜き孔２６が設けられているため、発泡断熱材充填空間２９が狭くなっても、発泡断熱材充填空間２９内の空気は空気抜き孔２６に向かってスムーズに流れるので、発泡断熱材４４が発泡しながら円滑に進行することが可能となり、ボイドが生じることを防止できる。
【００７５】  したがって、発泡断熱材４４自体の断熱性能のばらつきを抑制して凹凸部１８が存在する部分の断熱性能を安定化させることができる。しかも、発泡断熱材充填空間２９も狭いまま維持して壁厚を薄くすることができるので、貯蔵室の内容積拡充効果を得ることができる。
【００７６】  また、本実施の形態では、空気抜き孔２６は、内箱３の真空断熱材５５と対向する部分の実質的に中心部分に位置するように構成されているため、真空断熱材５５の外周部分から中心部分に向かって空気が抜けて発泡断熱材４４の発泡が進行していく。したがって、真空断熱材５５と対向する発泡断熱材充填空間２９全域にわたってボイド発生を防ぐことができ、断熱性能が安定化し、省エネルギ性を向上させることができる。
【００７７】  さらに、空気抜き孔２６は、環状に配列形成され、空気抜き孔２６で囲まれた部分に補助断熱材２７が配置されているため、万が一、空気抜き孔２６の中央部付近でボイドが発生するようなことがあっても、ボイドが発生した部分は補助断熱材２７によって断熱することができる。したがって、ボイドによる断熱性低下の影響を補助断熱材２７による断熱によって排除することができ、断熱性能の確固たる安定化を実現してより確実に省エネルギ性を向上させることができる。
【００７８】  また、本実施の形態では、部品収納室１１１は、外箱２の上部後方に設けられた切欠き部２ａに部品収納室ケース１１０が装着されて配設されている。また、部品収納室ケース１１０にスペーサ部材２１および真空断熱材５５が装着されてこれらが一体化され、ユニット化されている。このような構成により、生産性を高め、生産コストを低減させることが可能となる。
【００７９】  すなわち、本実施の形態では、部品収納室ケース１１０、スペーサ部材２１および真空断熱材５５がユニット化されているので、部品収納室ケース１１０を外箱２の切欠き部２ａに取り付けるだけでスペーサ部材２１および真空断熱材５５を設置することができる。しかも、部品収納室ケース１１０が外箱２に取付けられた後に、部品収納室ケース１１０にスペーサ部材２１と真空断熱材５５とをそれぞれ装着する場合に比べ、迅速かつ容易にこれらを外箱２に設置できる。したがって、生産性を向上させることができ、生産コストを低減することができる。
【００８０】  加えて、真空断熱材５５は、テープ２４等によってスペーサ部材２１に貼り付け固定されているため、スプリングバックによって発泡断熱材充填空間２９を狭めるようなことがなく、発泡断熱材４４の流動性を安定させてボイド発生抑制効果を向上させることができ、断熱性能をより確実に安定化させることができる。
【００８１】  また、本実施の形態では、スペーサ部材２１は、発泡スチロールで形成されているため、凹凸部１８の形状が複雑なものであっても、成型によってスペーサ部材２１を凹凸部１８の形状に沿う形に容易に製造することができ、コストダウンが可能となる。
【００８２】  しかも、スペーサ部材２１自体も断熱性を有することになるため、真空断熱材５５および発泡断熱材４４の断熱効果と合わさってより高い断熱性を発揮させることができる。
【００８３】  したがって、コストダウンを図りつつ、省エネルギ性および庫内容積拡充を実現することができる。
【００８４】  また、スペーサ部材２１は、真空断熱材５５が設置される面２２ｂの外周部に凸部２３が設けられ、凸部２３によって囲まれた面２２ｂに真空断熱材５５が設置されている。このため、スペーサ部材２１に設置された真空断熱材５５が、外箱２と内箱３との間に充填される発泡断熱材４４の流動と発泡によって位置ずれするようなことを防止できる。
【００８５】  したがって、真空断熱材５５と対向する部分に設けられた空気抜き孔２６が真空断熱材５５で狭められた発泡断熱材充填空間２９の実質的に中央部に確実に保持されて、ボイド発生を効率よく抑制することができ、断熱性能をさらに確実に安定化させることができる。しかも、真空断熱材５５のずれ動きによって生じる損傷破袋も確実に防止でき、断熱性能の安定化をさらに促進し信頼性を向上させることができる。
【００８６】  また、本実施の形態において、凸部２３は、スペーサ部材２１の外周部に形成され、好ましくはスペーサ部材２１の外周に沿って、形成されている。また、凸部２３は、スペーサ部材２１に真空断熱材５５が設置されたとき、凸部２３の突出部の表面と真空断熱材５５の外側の表面とが実質的に同一表面を形成するよう、凸部２３の高さが設定されている。例えば、本実施の形態では、凸部２３は、その突出部分（スペーサ部材２１の平面部表面から外方に突出している部分）の高さが、真空断熱材５５の平坦部の厚み（高さ）と実質的に同等高さとなるよう構成されている。このような構成により、発泡断熱材４４の発泡充填時、内箱３と真空断熱材５５との間を発泡断熱材４４がスムーズに流れることができる。したがって、真空断熱材５５の表面と凸部２３の表面との間に段差等がある場合および凸部２３が外周に沿って複数に分かれて設けられているような場合等に、発泡断熱材４４の流動性の低下により発生しがちなボイドの発生をも抑制でき、設計通りの高い断熱性能を安定的に実現でき、断熱性能をさらに安定化させることができる。
【００８７】  また、真空断熱材５５は、部品収納室１１１の縦方向の壁および横方向の壁の少なくとも二面に沿うように実質的にＬ字状に折り曲げられて形成されてスペーサ部材２１に装着されている。これにより、部品収納室１１１の縦方向の壁および横方向の壁の少なくとも二面それぞれに個別の真空断熱材を設置する場合に比べ、生産性を向上させることができ、生産コストを抑制することができる。
【００８８】  一方、部品収納室１１１に設置された圧縮機１７は熱を発すると同時に振動も発する。しかしながら、本実施の形態では、圧縮機１７などの発熱部品が取り付けられるための部品取付部１９が設けられている壁面の裏側の壁面には、発泡断熱材４４が充填固化されて配設されているため、発泡断熱材４４によって部品取付部１９の強度を高くすることができ、圧縮機１７がぐらつくことなく確実かつ強固に取り付け固定されることができる。
【００８９】  すなわち、部品取付部１９が形成されている凹凸部１８にスペーサ部材２１を介して真空断熱材５５が配置され、そのままの状態で発泡断熱材４４が充填固化された場合、部品取付部１９はスペーサ部材２１で支えるような形となってその強度に不安が生じる。しかしながら、本実施の形態の構成によれば、部品取付部１９とスペーサ部材２１との間に発泡断熱材４４が流し込まれて発泡固化され発泡断熱材４４で支持されるよう構成されているため、十分な強度を確保することができる。
【００９０】  したがって、重量があって振動する圧縮機１７なども、部品取付部１９に確実かつ強固に取付けられ固定されることができる。これと同時に、本体１に振動が伝番して騒音を発生するようなことも抑制できる。つまり、スペーサ部材２１が設置されたことにより懸念される強度低下を解消し、断熱性を高めつつ部品取付強度を高めて信頼性を向上させることができる。
【００９１】  さらに、真空断熱材５５は、部品収納室１１１の横幅ほぼ一杯に形成されて、発熱部品である圧縮機１７および凝縮器１５の大きさより大きく形成されている。また、真空断熱材５５は、選択的に、部品収納室１１１の縦幅もほぼ一杯に形成されて、発熱部品である圧縮機１７および凝縮器１５の大きさより大きく形成されている。より具体的には、真空断熱材５５は、発熱部品が、本体１の部品収納室１１１に隣接する貯蔵室の壁面に投影された面積（発熱部品投影面積）と同じ面積を有する部分（発熱部品投影面積部分）より、発熱部品投影面積部分以外の部分の方が大きな面積を有するように構成されている。このような構成により、断熱効果を高めることができる。
【００９２】  すなわち、真空断熱材５５は、圧縮機１７および凝縮器１５を含む部品収納室１１１内の発熱部品すべてからの輻射熱を断熱する。また、真空断熱材５５は、圧縮機１７等の発熱部品からの輻射熱に影響されることなく、その断熱効果を効果的に発揮して断熱する。一方、真空断熱材５５は、その大きさが発熱部品投影面積と同じか小さいと、圧縮機１７等の発熱部品から受ける輻射熱が外被材を構成しているアルミ箔に蓄積されて放散されずに温度上昇してしまい、断熱効果が低下する。しかしながら、本実施の形態の冷蔵庫２００の場合、真空断熱材５５は、発熱部品投影面積部分より、発熱部品投影面積部分以外の部分の方が大きくなるように構成されているため、発熱部品投影面積部分で蓄積された輻射熱を、発熱部品投影面積部分以外の部分で放散させることができ、真空断熱材５５の表面温度を低温化することができる。したがって、真空断熱材５５の表面温度が高くなって断熱効果を減じるようなことがなく、より高い断熱効果を得ることが可能となって省エネルギ性を一段と向上させることができる。
【００９３】  また、真空断熱材５５は、部品収納室１１１の横幅ほぼ一杯に形成されている。また、真空断熱材５５は、選択的に、部品収納室１１１の縦幅もほぼ一杯に形成されている。このような構成により、圧縮機１７等の発熱部品からの輻射熱のみならず部品収納室１１１内に存在する比較的高い温度の空気、すなわち、図１６の矢印で示す圧縮機１７および凝縮器１５等の発熱部品を冷却した後の比較的高い温度の空気の熱も断熱することができ、省エネルギ性をさらに高めることができる。
【００９４】  加えて、部品収納室１１１の横幅とほぼ同じ大きさに形成された真空断熱材５５は、部品収納室１１１の補強材としても機能し、部品収納室１１１の強度、ひいては本体１の強度を向上させることができる。同様に、真空断熱材５５が部品収納室１１１の縦幅とほぼ同じ大きさに形成された場合も、真空断熱材５５は、部品収納室１１１の補強材としても機能し、部品収納室１１１の強度、ひいては本体１の強度を向上させることができる。さらに、真空断熱材５５は、発泡断熱材充填後の本体１の強度はもちろんのこと、発泡断熱材充填前の本体１の搬送時等における本体１の変形等をも防止でき、品質向上を図ることもできる。
【００９５】  以上、本発明について、実施の形態を用いて説明してきたが、本発明は、これに限定されるものではなく、本発明の目的を達成する範囲内で種々変更可能であることは言うまでもない。
【００９６】  例えば、上記実施の形態では、凹凸部の存在する部分として本体１の上部に設けられた部品収納室１１１を例示して説明したが、本体１の背面および天面に設けられる制御ユニット等の収納室（図２のＹで示す部分）であってもよく、圧縮機１７および凝縮器１５そして制御ユニット等の部品の収納室など断熱が必要とされる部位であって部品取付用などの凹凸部が設けられる部分であればどのようなところであっても適用できる。
【００９７】  また、上記実施の形態で説明した部品取付部１９の強度対策構成は、圧縮機１７が取り付けられる部品取付部を例として説明したが、凝縮器１５或いは冷却ファン１６等の部品であってもよく、重量があって振動するものであれば特に効果的である。
【００９８】  さらに、スペーサ部材２１は、本体１の外箱２側、すなわち外箱２の一部となる部品収納室ケース１１０側に設けられたものを例示して説明したが、これはダクト部材固定用の止めビス６ｂが突出して凹凸形状となっている内箱３側に設けられてもよい。またこれと同様に、空気抜き孔２６も外箱２側に設けられてもよい。
【００９９】  以上のように、上記実施の形態は、すべての点で例示であって制限的なものではないと考えられるべきである。つまり、本発明の範囲は上述の説明ではなく、請求の範囲によって示され、請求の範囲と均等の意味および範囲内でのすべての変更が含まれることが意図される。
【産業上の利用可能性】
【０１００】  以上述べたように、本発明は、本体の凹凸部が存在している部分の断熱性を、信頼性を低下させたり断熱性能のばらつきを招来したりすることなく向上させることができるとともに、壁厚も薄くでき、省エネルギ性が高く庫内容積も大きい冷蔵庫を提供することができる。よって、家庭用冷蔵庫をはじめとして業務用冷蔵庫および自動販売機など他の冷凍冷蔵応用商品にも広く利用されることができる。
【符号の説明】
【０１０１】  １    本体  ２    外箱  ２ａ    切欠き部  ３    内箱  ４，４４    発泡断熱材  ５，５５    真空断熱材  ６    冷蔵室  ６ａ    ダクト部材  ６ｂ    止めビス  ７    冷凍室  ８    野菜室  ９    扉  １１０    部品収納室ケース  １１１    部品収納室  １２    吸気孔  １３    排気孔  １５    凝縮器  １６    冷却ファン  １７    圧縮機（発熱部品）  １８    凹凸部  １９    部品取付部  ２０    ゴムブッシュ  ２１    スペーサ部材  ２２ａ，２２ｂ    面  ２３    凸部  ２４    テープ  ２５    発泡断熱材通路  ２６，２６ａ    空気抜き孔  ２７    補助断熱材  ２８    充填口  ２９    発泡断熱材充填空間
【図１】
2017002345.tif 000003
【図２】
2017002345.tif 000004
【図３】
2017002345.tif 000005
【図４】
2017002345.tif 000006
【図５】
2017002345.tif 000007
【図６】
2017002345.tif 000008
【図７】
2017002345.tif 000009
【図８】
2017002345.tif 000010
【図９】
2017002345.tif 000011
【図１０】
2017002345.tif 000012
【図１１】
2017002345.tif 000013
【図１２】
2017002345.tif 000014
【図１３】
2017002345.tif 000015
【図１４Ａ】
2017002345.tif 000016
【図１４Ｂ】
2017002345.tif 000017
【図１５】
2017002345.tif 000018
【図１６】
2017002345.tif 000019
【図１７】
2017002345.tif 000020
【図１８】
2017002345.tif 000021
【図１９】
2017002345.tif 000022
【図２０Ａ】
2017002345.tif 000023
【図２０Ｂ】
2017002345.tif 000024
【国際調査報告】
2017002345.tif 000025
2017002345.tif 000026
2017002345.tif 000027
2017002345.tif 000028
2017002345.tif 000029